(57)【要約】【課題】高い信頼性をもつ高品質のデータを安定して記録する。【解決手段】記録ストラテジを最適化するとき、パルス設定手段９とパワー設定手段１０でパワーレベルが記録パワーと消去パワーとボトムパワーを有するマルチパルスの異なるパルス幅とボトムパワー毎に記録パワーを複数段階に変化させた発光パターンを設定し、設定した発光パターンで光ディスク２に対して試し書きを行い、試し書きを行なった領域に重ね書きを行なう。重ね書きした領域を再生した再生信号を再生信号評価手段１１で評価し、記録特性のパワーマージンが所定の基準値以上を満足するパルス幅とボトムパワーをそれぞれ最適マルチパルス幅と最適ボトムパワーと決定し、決定した最適マルチパルス幅と最適ボトムパワーの設定条件の下でのパワーマージンの中心の記録特性が確保できる記録パワーを最適記録パワーと決定する。【選択図】    図１
2005038473.tif 000002
【特許請求の範囲】
【請求項１】
パワーレベルは記録パワーと消去パワーとボトムパワーを有し、先頭パルスと中間パルスと末尾パルスを有する書込みパルスを制御して光ディスクに情報を記録し再生する情報記録再生装置において、
パワーレベルが記録パワーと消去パワーとボトムパワーを有するマルチパルスの異なるパルス幅とボトムパワー毎に記録パワーを複数段階に変化させた発光パターンを設定する発光パターン設定手段と、
該発光パターン設定手段で設定した発光パターンで光ディスクに試し書きを行い、試し書きを行なった領域に重ね書きを行なう手段と、
前記光ディスクの重ね書きした領域を再生した再生信号を評価し、記録特性のパワーマージンが所定の基準値以上を満足するパルス幅とボトムパワーをそれぞれ最適マルチパルス幅と最適ボトムパワーと決定する再生信号評価手段と、
該再生信号評価手段で決定した最適マルチパルス幅と最適ボトムパワーの設定条件の下でのパワーマージンの中心の記録特性が確保できる記録パワーを最適記録パワーと決定する記録パワー決定手段とを備えたことを特徴とする情報記録装置。
【請求項２】
前記再生信号評価装置は、記録特性のパワーマージンが最大となるパルス幅とボトムパワーをそれぞれ最適マルチパルス幅と最適ボトムパワーと決定する請求項１記載の情報記録再生装置。
【請求項３】
前記発光パターン設定手段は、書込みパルスの中間パルスあるいは書込みパルスの先頭パルス又は書込みパルスの末尾パルスのパルス幅を変化させて発光パターンを設定する請求項１又は２記載の情報記録再生装置。
【請求項４】
前記発光パターン設定手段は、マルチパルスの記録パワーと消去パワーとの比を変化させて発光パターンを設定する請求項１乃至３のいずれかに記載の情報記録再生装置。
【請求項５】
前記再生信号評価手段は、再生信号のブロックエラーレート（ＢＬＥＲ）が所定の基準値以下となるパワーマージンにより記録特性を評価する請求項１乃至４のいずれかに記載の情報記録装置。
【請求項６】
前記再生信号評価手段は、再生信号のブロックエラーレート（ＢＬＥＲ）が所定の基準値以下となるパワー範囲で再生信号振幅が所定の基準値を満たすパワー範囲で、かつ最大記録マークと最小記録マークの振幅中心値の差が所定の基準値を満たすパワー範囲となるパワーマージンにより記録特性を評価する請求項１乃至４のいずれかに記載の記録再生装置。
【請求項７】
前記記録パワー決定手段で最適記録パワーを決定したときのパラメータを光ディスクの種類毎に記憶するパラメータ記憶手段を有する請求項１乃至６のいずれかに記載の記録再生装置。
【請求項８】
パワーレベルは記録パワーと消去パワーとボトムパワーを有し、先頭パルスと中間パルスと末尾パルスを有する書込みパルスを制御して光ディスクに情報を記録し再生する情報記録方法において、
パワーレベルが記録パワーと消去パワーとボトムパワーを有するマルチパルスの異なるパルス幅とボトムパワー毎に記録パワーを複数段階に変化させた発光パターンを設定し、
設定した発光パターンで光ディスクに対して試し書きを行い、試し書きを行なった領域に重ね書きを行ない、
重ね書きした領域を再生した再生信号を評価し、記録特性のパワーマージンが所定の基準値以上を満足するパルス幅とボトムパワーをそれぞれ最適マルチパルス幅と最適ボトムパワーと決定し、
決定した最適マルチパルス幅と最適ボトムパワーの設定条件の下でのパワーマージンの中心の記録特性が確保できる記録パワーを最適記録パワーと決定して記録ストラテジの最適化を行うことを特徴とする情報記録方法。
【請求項９】
前記再生信号を評価するとき、記録特性のパワーマージンが最大となるパルス幅とボトムパワーをそれぞれ最適マルチパルス幅と最適ボトムパワーと決定する請求項８記載の情報記録方法。
【請求項１０】
前記書込みパルスの中間パルスあるいは書込みパルスの先頭パルス又は書込みパルスの末尾パルスのパルス幅を変化させて発光パターンを設定する請求項８又は９記載の情報記録方法。
【請求項１１】
前記マルチパルスの記録パワーと消去パワーとの比を変化させて発光パターンを設定する請求項８乃至１０のいずれかに記載の情報記録方法。
【請求項１２】
前記再生信号のブロックエラーレート（ＢＬＥＲ）が所定の基準値以下となるパワーマージンにより記録特性を評価する請求項８乃至１１のいずれかに記載の情報記録方法。
【請求項１３】
前記再生信号評価手段は、再生信号のブロックエラーレート（ＢＬＥＲ）が所定の基準値以下となるパワー範囲で再生信号振幅が所定の基準値を満たすパワー範囲で、かつ最大記録マークと最小記録マークの振幅中心値の差が所定の基準値を満たすパワー範囲となるパワーマージンにより記録特性を評価する請求項８乃至１１のいずれかに記載の記録再生方法。
【請求項１４】
記録特性のパワーマージンが所定の基準値を満たさない場合には、光ディスクに対するそのときの記録速度における記録ストラテジの最適化を中止し、１段階遅い記録速度で記録ストラテジの最適化を実施する請求項８乃至１３のいずれかに記載の情報記録方法。
【請求項１５】
請求項８乃至１４のいずれかに記載の記録ストラテジの最適化処理プログラムと最適記録パワーを決定するときのパラメータ及び最適記録パワーを決定したときのパラメータを保存したことを特徴とするコンピュータで読取りと書込みが可能な記憶媒体。
【発明の詳細な説明】
【０００１】
【発明の属する技術分野】
この発明は、光ディスクに情報を記録し再生する情報記録再生装置と情報記録方法及びその処理プログラム等を格納した記憶媒体に関するものである。
【０００２】
【従来の技術】
【特許文献１】特開平５−２５０６７３号公報
【特許文献２】特開２００１−２６６３４６号公報
例えばＣＤ−Ｒ等の光ディスクは、日本国内だけでなく外国を含む多数のメーカにより製造されている。このため各メーカによって使用の異なる光ディスクが市販されている。これは光ディスクを製造するときに使用するスタンパの機械的特性のばらつきや、記録膜材料や膜厚の相違あるいはトラックピッチの幅など、メーカによって記録品質に影響を与えるパラメータが相違するためである。そこで、光ディスクに情報を記録したり再生する記録再生装置においては、異なるメーカが製造した光ディスクを使用しても十分な記録品質が得られるように、記録条件の最適化を行っているのが現状である。この記録条件の最適化の代表的な制御パラメータとしては記録パワーと記録ストラテジの２つが挙げられる。
【０００３】
従来、記録条件の最適化は、光ディスクの設計時にリファレンスドライブ等により試験的により一義的に定め、ファームウェアにパラメータとして設定しており、光ディスクが記録再生装置に装着されたときに、その参照値を読み込み、読み込んだ値を最適ストラテジとして設定し、記録時の制御値としている。
【０００４】
しかし、実際には記録再生装置間の電気回路系や光学系の性能にばらつきがあり、記録再生装置毎に記録条件の最適値が異なる。このため個々の記録再生装置で設定された記録条件が実際の最適値からずれてしまい、所定の記録品質を確保できない等の問題がある。
【０００５】
この個々の記録再生装置のばらつきがあっても、容易に最適記録条件で記録可能なように、特許文献１に示された最適化方法は、記録特性として再生信号のＣＮＲ（Ｃａｒｒｉｅｒ  Ｎｏｉｓｅ  Ｒａｔｉｏ）が最大となる記録条件と再生信号のビットエラーレートが最小となる記録条件を最適記録条件にしている。
【０００６】
また、特許文献２に示された最適化方法は、差分信号と基準クロック信号との位相を比較して位相差を検出して記録信号を再生したときのジッタ量を推定し、この推定した再生ジッタ量に対応する補正データに基づきパルス信号のパルス幅を調整して記録パルス幅を最適化し、形成するピットの長さを安定させて再生時のジッタを低減するようにしている。
【０００７】
【発明が解決しようとする課題】
しかしながら特許文献１に示すように、再生信号のＣＮＲを測定するためには、情報記録装置にスペクトラムアナライザーの機能を取り組む必要があり、この機能を実装することにより、情報記録装置はコストアップするとともに大型化してしまう。また、ＣＮＲの測定に時間がかかり現実的ではなかった。
【０００８】
また、特許文献２に示すように、ビットエラーレート値が最小となる記録パワーと記録パルス幅を求めても、記録中に起きる各種の変動要因、例えばレーザダイオードの微妙な発振周波数ばらつきやパルス変動等によって記録パワーや記録パルス幅が変動した場合、ビットエラーレートが急激に悪化する可能性がある。
【０００９】
この発明はこのような問題を解消し、従来の記録再生装置において測定可能な信号レベルを記録特性と関連付けることにより、各種変動要因によっても記録特性が変動しない最適記録条件で記録することができ、光ディスクに高い信頼性をもつ高品質のデータを安定して記録することができる情報記録再生装置と最適記録条件決定装置と最適記録条件決定方法及びその処理プログラムを提供することを目的とするものである。
【００１０】
【課題を解決するための手段】
この発明の情報記録再生装置は、パワーレベルは記録パワーと消去パワーとボトムパワーを有し、先頭パルスと中間パルスと末尾パルスを有する書込みパルスを制御して光ディスクに情報を記録し再生する情報記録再生装置において、パワーレベルが記録パワーと消去パワーとボトムパワーを有するマルチパルスの異なるパルス幅とボトムパワー毎に記録パワーを複数段階に変化させた発光パターンを設定する発光パターン設定手段と、該発光パターン設定手段で設定した発光パターンで光ディスクに試し書きを行い、試し書きを行なった領域に重ね書きを行なう手段と、前記光ディスクの重ね書きした領域を再生した再生信号を評価し、記録特性のパワーマージンが所定の基準値以上を満足するパルス幅とボトムパワーをそれぞれ最適マルチパルス幅と最適ボトムパワーと決定する再生信号評価手段と、該再生信号評価手段で決定した最適マルチパルス幅と最適ボトムパワーの設定条件の下でのパワーマージンの中心の記録特性が確保できる記録パワーを最適記録パワーと決定する記録パワー決定手段とを備えたことを特徴とする。
【００１１】
この発明の情報記録方法は、パワーレベルは記録パワーと消去パワーとボトムパワーを有し、先頭パルスと中間パルスと末尾パルスを有する書込みパルスを制御して光ディスクに情報を記録し再生する情報記録方法において、パワーレベルが記録パワーと消去パワーとボトムパワーを有するマルチパルスの異なるパルス幅とボトムパワー毎に記録パワーを複数段階に変化させた発光パターンを設定し、設定した発光パターンで光ディスクに対して試し書きを行い、試し書きを行なった領域に重ね書きを行ない、重ね書きした領域を再生した再生信号を評価し、記録特性のパワーマージンが所定の基準値以上を満足するパルス幅とボトムパワーをそれぞれ最適マルチパルス幅と最適ボトムパワーと決定し、決定した最適マルチパルス幅と最適ボトムパワーの設定条件の下でのパワーマージンの中心の記録特性が確保できる記録パワーを最適記録パワーと決定して記録ストラテジの最適化を行うことを特徴とする。
【００１２】
前記再生信号を評価するとき、記録特性のパワーマージンが最大となるパルス幅とボトムパワーをそれぞれ最適マルチパルス幅と最適ボトムパワーと決定して、記録ストラテジにばらつきがあっても記録再生特性を向上させる。
【００１３】
また、書込みパルスの中間パルスあるいは書込みパルスの先頭パルス又は書込みパルスの末尾パルスのパルス幅を変化させて発光パターンを設定したり、マルチパルスの記録パワーと消去パワーとの比を変化させて発光パターンを設定して、重ね書きによるジッターを小さくして良好な品質の再生信号を得る。
【００１４】
さらに、再生信号のブロックエラーレート（ＢＬＥＲ）が所定の基準値以下となるパワーマージンにより記録特性を評価して、最適な記録ストラテジを決定する。
【００１５】
また、再生信号のブロックエラーレート（ＢＬＥＲ）が所定の基準値以下となるパワー範囲で再生信号振幅が所定の基準値を満たすパワー範囲で、かつ最大記録マークと最小記録マークの振幅中心値の差が所定の基準値を満たすパワー範囲となるパワーマージンにより記録特性を評価して、より最適な記録ストラテジを決定する。
【００１６】
また、最適記録パワーを決定したときのパラメータを光ディスクの種類毎に記憶し、記憶したパラメータを使用して記録ストラテジを最適化し、最適化したときのパラメータにより記憶したパラメータを更新して、常に適正な最適化を行う。
【００１７】
また、記録特性のパワーマージンが所定の基準値を満たさない場合には、光ディスクに対するそのときの記録速度における記録ストラテジの最適化を中止し、１段階遅い記録速度で記録ストラテジの最適化を実施して、情報を記録した後に再生不能となることを防ぐ。
【００１８】
この発明の記憶媒体は、前記記録ストラテジの最適化処理のプログラムと最適記録パワーを決定するときのパラメータ及び最適記録パワーを決定したときのパラメータを保存し、コンピュータで読取りと書込みが可能なことを特徴とする。
【００１９】
【発明の実施の形態】
図１はこの発明の記録再生装置の構成を示すブロック図である。記録再生装置１は例えばＣＤ−ＲＷ等の光ディスク２に情報を記録し再生するものであり、光ディスク２を回転する駆動部３とヘッド４と回転制御部５とアクセス手段６とＬＤドライバ７及び記録パワー設定部８を有する。ヘッド４はレーザダイオード（ＬＤ）と光学系を有し、光ディスク２の記録層に光ビームを集光させて記録マークを形成する。また、光ディスク２の半径方向に移動可能であり、アクセス手段６により光ディスク２に設けられた試し書き領域やユーザデータ領域にアクセスする。回転制御部５は駆動部３に設けた回転モータを所定の回転速度で回転させ、速度指令により回転モータの回転速度を可変して光ディスク２の線速度を可変する。
【００２０】
この相変化型の書き換え可能な光ディスク２に情報を記録する書込みパルスの記録波形、例えばＥＦＭ（Ｅｉｇｈｔ  ｔｏ  Ｆｏｕｒｔｅｅｎ  Ｍｏｄｕｌａｔｉｏｎ）コードにおける５Ｔマルチパルス列の発光パルスは、例えば図２の波形図に示すように、相変化型光ディスク２の記録層を融点温度以上に十分に予備加熱する先頭パルスＥＦと、後続の中間パルスＭＰと、最後尾の末尾パルスＥＰを有する。この発光パルスのパワーレベルは記録パワーＰｗと消去パワーＰｅとボトムパワーＰｂの３通りとなり、ピット（記録マーク）でない部分は記録パワーＰｗより低い消去パワーＰｅを照射する。また、光ディスク２に記録した情報を再生するときはボトムパワーＰｂ又はそれより少し高いパワーＰｒを照射する。ＺＣＬＶやＣＡＶ記録のように、光ディスク２の面内で記録線速度を変える場合、記録中に線速度によって記録パワーやパルス設定を変えることが望ましい。
【００２１】
この光ディスク２に情報を記録するときの記録パワーを設定する記録パワー設定部８にはパルス設定手段９とパワー設定手段１０と再生信号評価手段１１とコントローラ１２及び各種パラメータを記憶したパラメータ記憶手段１３を有する。パルス設定手段９はマルチパルスのパルス幅を設定する。パワー設定手段１０はコントローラ１２から入力する記録パワー指令により記録パワーを設定する。そしてパルス設定手段９に書込みデータＷＤＡＴＥが入力すると、パルス設定手段９で設定したパルス幅とパワー設定手段１０で設定した記録パワーによりＬＤドライバ７を駆動してヘッド４のＬＤを発光させる。また、最適パワー制御（ＯＰＣ）モードになるとパワー設定手段１０はコントローラ１２から入力する記録パワー指令とは関係なく、試し書きモードになり記録パワーを順次可変する。
【００２２】
再生信号評価手段１１はβ値検出手段１４とパワーマージン判定手段１５を有する。β値検出手段１４はＯＰＣモードのとき、再生信号（ＲＦ信号）の低域成分を除去（交流結合）し、交流結合したＲＦ信号の上側包絡線レベルと下側包絡線レベルを検出して、ＲＦ信号の非対称性を示すパラメータβを検出する。例えば光ディスク２の記録特性として、記録マークの部分でレーザ光の反射率が下がり、ＲＦ信号は低反射部で低レベルになるとする。この場合、適正な記録状態のとき交流結合したＲＦ信号は、図３の波形図の（ａ）に示すように上下対称であり、上側レベルａ＝下側レベルｂになる。また、記録パワーが過大のとき、図３（ｂ）に示すように、記録マークの部分が長くなるから、交流結合したＲＦ信号は上側レベルａが高くなり、上側レベルａ＞下側レベルｂになる。また、記録パワーが不足のとき、図３（ｃ）に示すように、記録マークの部分が短くなるから、交流結合したＲＦ信号は下側レベルｂが高くなり、上側レベルａ＜下側レベルｂになる。この上側レベルａと下側レベルｂとの差（ａ−ｂ）をＲＦ信号の振幅（ａ＋ｂ）で正規化した、パラメータβ＝（ａ−ｂ）／（ａ＋ｂ）をβ値検出手段１４で検出する。パワーマージン判定手段１５は、β値検出手段１４で検出したパラメータβから記録特性のパワーマージンを評価する。すなわち、パラメータβ＝０のとき記録パワーは適正と評価し、パラメータβ＞０のとき記録パワーは過大、パラメータβ＜０のとき記録パワーは不足と評価する。
【００２３】
コントローラ１２は、ＯＰＣモードのとき、パワーマージン判定手段１５の評価結果によりパルス設定手段９で設定するマルチパルスのパルス幅を修正させるとともにパワー設定手段１０で設定する記録パワーを修正し、光ディスク２に書込みデータＷＤＡＴＥを記録するとき、記録パワーを最適記録パワーにする。
【００２４】
この記録再生装置１で光ディスク２に情報を記録するとき、記録パワー設定部８で最適記録パワーを決定するときの動作を図４のフローチャートを参照して説明する。
【００２５】
ＯＰＣモードが設定されると、モータ制御部５は駆動部３を駆動させて光ディスク２を所定の線速度で回転する（ステップＳ１）。この状態でパルス設定手段９は、図５の波形図に示すように、記録パワーＰｗと消去パワーＰｅとボトムパワーＰｂの３通りのパワーレベルを有する発光パターンのマルチパルスのパルス幅Ｔｍｐを初期幅Ｔｉｎｉに設定し、パワー設定手段１０により発光パターンのボトムパワーＰｂを初期パワーＰｂｉｎｉに設定する（ステップＳ２）。そしてパワー設定手段１０で記録パワーを例えばＰ０，Ｐ１〜Ｐ９と１０段階に可変してＬＤドライバ７を駆動してヘッド４のＬＤを発光させて、光ディスク２のユーザエリアよりも内周のパワー較正領域（ＰＣＡ；Ｐｏｗｅｒ  Ｃａｌｉｂｒａｔｉｏｎ  Ａｒｅａ）に対して試し書きを行う（ステップＳ３）。引き続いて試し書きを行った領域に、同じ条件で重ね書き（オーバライト）を行う（ステップＳ４）。このオーバライトを行った領域をヘッド４で再生してＲＦ信号を再生信号評価手段１１のβ値検出手段１５に出力する。β値検出手段１５は入力したＲＦ信号からパラメータβを検出してパワーマージン判定手段１６に出力する（ステップＳ５）。パワーマージン判定手段１６は入力したパラメータβをあらかじめ設定された所定の基準値と比較し、パラメータβが所定の基準値以上を確保しているかどうかを判定し、判定結果をコントローラ１２を介してパルス設定手段９とパワー設定手段１０に送る（ステップＳ６）。パルス設定手段９はパラメータβが所定の基準値以上を確保していないと判断された場合、マルチパルスのパルス幅を初期幅Ｔｉｎｉに対して一定幅ΔＴ分長くあるいは短く変更できるかどうかを判定し（ステップＳ７）、変更できる場合は、マルチパルスのパルス幅を補正幅Ｔｎ＝（Ｔｉｎｉ±ΔＴ）に変更する（ステップＳ８）。そしてパワー設定手段１０で記録パワーを例えばＰ０，Ｐ１〜Ｐ９と１０段階に可変してＬＤドライバ７を駆動してヘッド４のＬＤを発光させて、前記処理を繰り返しＲＦ信号の評価を行う（ステップＳ３〜Ｓ６）。この評価した結果、マルチパルスのパルス幅を補正幅Ｔｎに変更した後でも、パラメータβが所定の基準値以上を確保していない場合、ボトムパワーＰｂを初期パワーＰｂｉｎｉにした状態でのマルチパルスのパルス幅の設定変更は不可能となるので（ステップＳ７）、パワー設定手段１０はボトムパワーＰｂを初期パワーＰｂｉｎｉに設定し、パワー設定手段１０は設定されているボトムパワーＰｂを補正パワーＰｂｎ＝（Ｐｂｉｎｉ−ΔＰｂ）に変更する（ステップＳ９）。そしてパワー設定手段１０で記録パワーを１０段階に可変してＬＤドライバ７を駆動してヘッド４のＬＤを発光させて、前記処理を繰り返しＲＦ信号の評価を行う（ステップＳ３〜Ｓ６）。この評価の結果、パラメータβが所定の基準値以上を確保していないと判断された場合、パルス設定手段９はマルチパルスのパルス幅を初期幅Ｔｉｎｉに対して一定幅ΔＴ分長くあるいは短く変更できるかどうかを判定し（ステップＳ７）、変更できる場合は、マルチパルスのパルス幅を補正幅Ｔｎ＝（Ｔｉｎｉ±ΔＴ）に変更し（ステップＳ８）、再度、パワー設定手段１０で記録パワーを１０段階に可変してＬＤドライ��７を駆動してヘッド４のＬＤを発光させて、前記処理を繰り返しＲＦ信号の評価を行う（ステップＳ３〜Ｓ６）。そしてパラメータβが所定の基準値以上を確保したと判断すると、コントローラ１２は、そのときパルス設定手段９に設定されているマルチパルスのパルス幅Ｔｏｐｔを最適記録パルス幅とし、パワー設定手段１０に設定されているボトムパワーＰｂｏｐｔを最適ボトムパワーと決定する（ステップＳ１０）。そして最適記録パルス幅と最適ボトムパワーの設定条件の下でのパワーマージンの中心の記録特性が確保できる記録パワーを最適記録パワーと決定する（ステップＳ１１）。
【００２６】
このように最適記録パルス幅と最適ボトムパワーを決定して最適記録パワーを決定することにより、記録ストラテジのばらつきがあっても、常に最適の記録条件で光ディスク２に記録することができ、高品質のデータを安定して記録することができる。
【００２７】
前記説明ではＯＰＣモードで光ディスク２に試し書きを行った後に、試し書きを行った領域にオーバライトを１回行ってからＲＦ信号の評価を行った場合について説明したが、光ディスク２の記録材料はオーバライトを１〜２回程度でジッター特性が急激に悪化することがある。このジッター特性の悪化の主な原因としては、光ディスク２の製造時の初期化状態と記録再生装置１による記録マークの消去状態が異なるため、記録マークがばらつくことが考えられる。そのためオーバライトの回数は１〜２回が望ましい。また、最適記録ストラテジの導出時間を短くするために、オーバライトは１回がより望ましい。
【００２８】
また、前記のように最適記録パルス幅と最適ボトムパワーを決定して最適記録パワーを決定した後、光ディスク２に書込みデータＷＤＡＴＥを繰り返し、例えば１００回以上オーバライトすると、記録品質が劣化してくる。この場合の信号劣化の原因は前記原因と異なり、記録材料の溶融が繰り返されることにより記録層内の元素分布が偏ることが考えられる。このようになった場合も、前記ＯＰＣ処理を行うことにより、最適な記録ストラテジと記録パワーを決定することができる。
【００２９】
また、前記説明ではパラメータβが所定の基準値以上を確保したとき、パルス設定手段９に設定されているマルチパルスのパルス幅Ｔｏｐｔを最適記録パルス幅とし、パワー設定手段１０に設定されているボトムパワーＰｂｏｐｔを最適ボトムパワーと決定して最適記録パワーを決定した場合について説明したが、パラメータβが所定の基準値以上を確保したとき、図６のフローチャートに示すように、その条件を満たすマルチパルスのパルス幅とボトムパワーＰｂの組み合わせが２組以上見い出したかを判断し（ステップＳ３２）、１組だけ見い出せた場合は、マルチパルスのパルス幅やボトムパワーＰｂを変更し（ステップＳ７，Ｓ８，Ｓ９）、その補正値でＲＦ信号の評価を行い（ステップＳ２３〜Ｓ２６）、２組以上見出したときは（ステップＳ３１〜Ｓ３２）、マルチパルスのパルス幅とボトムパワーＰｂの組み合わせのなかから、パワーマージンが最大となるマルチパルスのパルス幅とボトムパワーＰｂの組合せを最適記録パルス幅と最適ボトムパワーと決定しても良い（ステップＳ３３，Ｓ３４）。
【００３０】
このようにパワーマージンが最大となるマルチパルスのパルス幅とボトムパワーＰｂの組合せを最適記録パルス幅と最適ボトムパワーと決定することにより、記録ストラテジにばらつきがあっても記録再生特性をより向上することができる。
【００３１】
前記説明では記録パワーＰｗと消去パワーＰｅとボトムパワーＰｂの３通りのパワーレベルを有する発光パターンのマルチパルスのパルス幅Ｔｍｐを初期幅Ｔｉｎｉに設定したり、補正幅Ｔｎに変更して発光出力の総和を変化させる場合について説明したが、図２に示すように、書込みデータＷＤＡＴＥを記録するときの発光パルスの中間パルスＭＰや先頭パルスＥＦ又は末尾パルスＥＰのいずれかのパルス幅を初期幅Ｔｉｎｉに設定したり、補正幅Ｔｎに変更して発光出力の総和を変化させて、ＲＦ信号を評価して最適な記録ストラテジと記録パワーを決定しても良い。
【００３２】
例えば発光パルスの中間パルスＭＰのパルス幅ＴＭＰを５Ｔ／１２と６Ｔ／１２及び７Ｔ／１２に設定し、ボトムパワーＰｂを１ｍＷと２ｍＷに設定して発光出力の総和を変化させて試し書きとオーバライトをした後のブロックエラーレートＢＬＥＲのパワーマージンを測定した結果を図７に示す。ここでＢＬＥＲの基準値としてＢＬＥＲ＜５０とした場合、その基準値を満たすパラメータβの範囲からパワーマージンを求めると下記表に示すようになる。
【００３３】
【表１】
2005038473.tif 000003
【００３４】
ここでＢＬＥＲのパワーマージンの基準値として１０ｍＷ以上とした場合、それを満たす中間パルスＭＰとボトムパワーＰｂの設定はＮｏ．２とＮｏ．４及びＮｏ．５である。ここでＮｏ．５の設定はＢＬＥＲのパワーマージンが最大となるため、最適マルチパルス幅＝６Ｔ／１２、最適ボトムパワーＰｂ＝１ｍＷとする。このときの最適記録パワーはパワーマージンの中心値、すなわち（２１＋３３）／２＝２７ｍＷと求められる。
【００３５】
また、先頭パルスＦＰのパルス幅ＴＦＰを１Ｔと１．２Ｔ及び０．８Ｔに設定して発光出力の総和を変化させて試し書きとオーバライトをした後のブロックエラーレートＢＬＥＲの関係を調べた結果を図８に示す。図８に示すように、先頭パルスＦＰのパルス幅ＴＦＰ＝１Ｔでオーバライト後のブロックエラーレートＢＬＥＲは良好な条件を得ることができた。
【００３６】
さらに、末尾パルスＥＰのパルス幅ＴＥＰを１Ｔと０．８Ｔ及び０．６Ｔに設定して発光出力の総和を変化させて試し書きとオーバライトをした後のブロックエラーレートＢＬＥＲの関係を調べた結果を図９に示す。図９に示すように、末尾パルスＥＰのパルス幅ＴＥＰ＝０．８Ｔでオーバライト後のブロックエラーレートＢＬＥＲは良好な条件を得ることができた。
【００３７】
前記各説明では記録パワー設定部８で最適記録パワーを決定するとき、マルチパルスのパルス幅やボトムパワーＰｂを変更して試し書きを行った場合について説明したが、マルチパルスのライトパワーＰｗとイレースパワーＰｅとの比ε＝Ｐｅ／Ｐｗを変化して試し書きを行っても良い。例えばライトパワーＰｗとイレースパワーＰｅとの比εをε＝０．２６とε＝０．３及びε＝０．３４と変化して発光出力の総和を変化させて試し書きとオーバライトをした後のブロックエラーレートＢＬＥＲの関係を調べた結果を図１０に示す。図１０に示すように、ε＝０．３でオーバライト後のブロックエラーレートＢＬＥＲは良好な条件を得ることができた。
【００３８】
また、最適記録パワーを設定するとき、ＲＦ信号のＢＬＥＲが所定の基準値以下となるパワー範囲値とともにで、ＲＦ信号振幅（Ｍｏｄｕｌａｔｉｏｎ）が所定の基準値を満たすパワー範囲で、かつ最大記録マークと最小記録マークの振幅中心値の差（Ａｓｙｍｍｅｔｒｙ）が所定の基準値を満たすパワー範囲からパワーマージンを評価して記録ストラテジを決定することにより、記録再生特性をより向上することができる。
【００３９】
例えば中間パルスＭＰのパルス幅ＴＭＰを５Ｔ／１２と６Ｔ／１２及び７Ｔ／１２に設定し、ボトムパワーＰｂを１ｍＷと２ｍＷに設定してＲＦ信号の変調度ｍｌ１のパワーマージンを測定した結果を図１１に示す。このパワーマージンの測定結果でｍｌ１＞０．６５となるパワー範囲は下記表に示すようになる。
【００４０】
【表２】
2005038473.tif 000004
【００４１】
また、中間パルスＭＰのパルス幅ＴＭＰを５Ｔ／１２と６Ｔ／１２及び７Ｔ／１２に設定し、ボトムパワーＰｂを変化させたとき、最大記録マークと最小記録マークの振幅中心値の差Ａｓｙｍのパワーマージンを測定した結果を図１２に示す。ここで−１５％＜Ａｓｙｍ＜−５％となるパワー範囲は下記表に示すようになる。
【００４２】
【表３】
2005038473.tif 000005
【００４３】
そしてＢＬＥＲのパワーマージンの基準値をとしてＢＬＥＲ＜５０ｍＷで、変調度ｍｌ１＞０．６５の範囲でかつ−１５％＜Ａｓｙｍ＜−５％を満足するパワーマージンを求めると下記表に示すようになる。
【００４４】
【表４】
2005038473.tif 000006
【００４５】
上記表に示すように、Ｎｏ．２３の場合、ＢＬＥＲ＜５０ｍＷで、変調度ｍｌ１＞０．６５の範囲でかつ−１５％＜Ａｓｙｍ＜−５％を満足するパワーマージンが最大になることから、最適マルチパルス幅＝６Ｔ／１２で最適ボトムパワーＰｂ＝１ｍＷとする。このときの最適記録パワーはパワーマージンの中心値すなわち（２４＋３３）＝２８．５ｍＷと求めることができる。
【００４６】
このように所定の記録速度で記録ストラテジの最適化を実施した結果、記録特性のパワーマージンが基準値を確保できない場合は、記録速度を１段階落として記録ストラテジの最適化を実施する。この最適化したストラテジパラメータをパラメータ記憶手段１３に保存する。このパラメータ記憶手段１３に記憶したストラテジパラメータを使用して記録ストラテジの最適化を繰り返すことにより、最適化する時間を短縮することができる。
【００４７】
また、ＣＤ−ＲＷ機能を有する記録再生装置１では、基準の線速度に対して２倍速や４倍速といったような複数の記録線速度の記録モードをもつ場合が多い。そのような場合、記録速度毎に最適な記録ストラテジは異なる。そこで記録速度毎に記録ストラテジを最適化し、最適化した記録ストラテジのパラメータをパラメータ記憶手段１３に保存する。このように記録速度毎に最適化したストラテジパラメータを保存することにより、各記録速度で最適な記録条件で光ディスク２に情報を記録することができる。
【００４８】
さらに、ＣＤ−ＲＷの光ディスク２は、記録層を構成する相変化材料の違いにより最適な記録ストラテジは異なる。そこで記録再生装置１に使用する光ディスク２毎に記録ストラテジを最適化し、最適化した記録ストラテジのパラメータをパラメータ記憶手段１３に保存しておく。このように使用する光ディスク２毎に最適化したストラテジパラメータを保存しておくことにより、どんな光ディスク２を使用した場合でも最適な記録条件で情報を記録することができる。
【００４９】
また、様々なユーザ環境や使用する光ディスク２及び記録再生装置１や光ディスク２の経時変化に対応するために記録ストラテジを最適化し、記録ストラテジの最適化を実行するたびにパラメータ記憶手段１３に保存しているストラテジパラメータを更新することにより、常に安定した記録品質で情報を光ディスク２に記録することができる。
【００５０】
前記説明では記録ストラテジを最適化するとき、光ディスク２に試し書きとオーバライトして再生信号評価手段８で再生したＲＦ信号を評価して記録パルス幅やボトムパワーを変えて最適記録パルス幅と最適ボトムパワーを決定して最適記録パワーを決定する場合について説明したが、図１３に示すように、コンピュータ２０で読取りや書込みが可能なフレキシブルディスクや光ディスク等の記憶媒体２１のプログラム格納部２２に記録ストラテジを最適化する処理プログラムを保存し、記憶媒体２１のパラメータ格納部２２に光ディスク２の種類に応じたストラテジパラメータを格納しておき、記録再生装置１で光ディスク２に情報を記録するとき、記憶媒体２１に保存した処理プログラムやストラテジパラメータを使用して最適記録パワーを決定しても良い。すなわち、コンピュータ２０と記録再生装置１をＳＣＳＩ等のインタフェースで接続し、コンピュータ２０からの書込みデータＷＤＡＴＥを記録再生装置１に送り光ディスク２に記録するとき、コンピュータ２０で記憶媒体２１から記録ストラテジを最適化する処理プログラムと光ディスク２に対応するストラテジパラメータを読み出して記録再生装置１に送る。記録再生装置１は送られた処理プログラムとストラテジパラメータを使用して光ディスク２に試し書きとオーバライトを行い、そのＲＦ信号を評価して記録パルス幅やボトムパワーを変えて最適記録パルス幅と最適ボトムパワーを決定して最適記録パワーを決定する。また、この最適記録パワーを決定したときのストラテジパラメータを記録再生装置１からコンピュータ２０に送る。コンピュータは送られたストラテジパラメータにより記憶媒体２１に保存されている該当するストラテジパラメータを更新する。また、記録ストラテジの最適化が不可能であった場合、記録再生装置１はその旨をコンピュータ２０に送る。コンピュータ２０は記録ストラテジの最適化が不可能であることを表示してユーザに知らせる。
【００５１】
このようにして記録再生装置１に対して記録ストラテジを適宜最適値に制御でき、常に高品質のデータを安定して記録することができるとともに自己診断機能により所定の記録速度での記録ストラテジ最適化が不可能な場合には、ユーザに対して警告を行うことにより、ユーザーは記録ストラテジの最適化が不可能な記録速度を認知でき、その記録速度での情報記録を禁止して、記録後再生できなくなるような不具合を防止することができる。
【００５２】
【発明の効果】
この発明は以上説明したように、記録ストラテジを最適化するとき、パワーレベルが記録パワーと消去パワーとボトムパワーを有するマルチパルスの異なるパルス幅とボトムパワー毎に記録パワーを複数段階に変化させた発光パターンを設定し、設定した発光パターンで光ディスクに対して試し書きを行い、試し書きを行なった領域に重ね書きを行ない、重ね書きした領域を再生した再生信号を評価し、記録特性のパワーマージンが所定の基準値以上を満足するパルス幅とボトムパワーをそれぞれ最適マルチパルス幅と最適ボトムパワーと決定し、決定した最適マルチパルス幅と最適ボトムパワーの設定条件の下でのパワーマージンの中心の記録特性が確保できる記録パワーを最適記録パワーと決定することにより、常に最適な記録条件で情報を記録することができ、高品質のデータを安定して記録することができる。
【００５３】
また、再生信号を評価するとき、記録特性のパワーマージンが最大となるパルス幅とボトムパワーをそれぞれ最適マルチパルス幅と最適ボトムパワーと決定することにより、記録ストラテジにばらつきがあっても記録再生特性を向上させることができる。
【００５４】
また、書込みパルスの中間パルスあるいは書込みパルスの先頭パルス又は書込みパルスの末尾パルスのパルス幅を変化させて発光パターンを設定したり、マルチパルスの記録パワーと消去パワーとの比を変化させて発光パターンを設定することにより、重ね書きによるジッターを小さくして良好な品質の再生信号を得て、安定した最適化処理を行うことができる。
【００５５】
さらに、再生信号のブロックエラーレート（ＢＬＥＲ）が所定の基準値以下となるパワーマージンにより記録特性を評価することにより、最適な記録ストラテジを決定することができる。
【００５６】
また、再生信号のブロックエラーレート（ＢＬＥＲ）が所定の基準値以下となるパワー範囲で再生信号振幅が所定の基準値を満たすパワー範囲で、かつ最大記録マークと最小記録マークの振幅中心値の差が所定の基準値を満たすパワー範囲となるパワーマージンにより記録特性を評価することにより、より最適な記録ストラテジを決定することができる。
【００５７】
また、最適記録パワーを決定したときのパラメータを光ディスクの種類毎に記憶し、記憶したパラメータを使用して記録ストラテジを最適化し、最適化したときのパラメータにより記憶したパラメータを更新することにより、常に適正な記録ストラテジを決定することができる。
【００５８】
また、記録特性のパワーマージンが所定の基準値を満たさない場合には、光ディスクに対するそのときの記録速度における記録ストラテジの最適化を中止し、１段階遅い記録速度で記録ストラテジの最適化を実施することにより、情報を記録した後に再生不能となることを防ぐことができ、安定して記録を行うことができる。
【００５９】
また、この記録ストラテジの最適化処理のプログラムと最適記録パワーを決定するときのパラメータ及び最適記録パワーを決定したときのパラメータをコンピュータで読取りと書込みが可能な記憶媒体に保存することにより、記録ストラテジの最適化処理を容易に行うことができるとともに各種の光ディスクに安定して記録を行うことができる。
【図面の簡単な説明】
【図１】この発明の記録再生装置の構成を示すブロック図である。
【図２】書込みパルスを示す波形図である。
【図３】記録パワーに応じて変化する再生信号を示す波形図である。
【図４】記録ストラテジの最適化処理を示すフローチャートである。
【図５】試し書きと重ね書きを行う発光パルスを示す波形図である。
【図６】記録ストラテジの他の最適化処理を示すフローチャートである。
【図７】中間パルスのパルス幅を変えて試し書きと重ね書きをした後のＢＬＥＲのパワーマージンの測定結果を示す変化特性図である。
【図８】先頭パルスのパルス幅を変えて試し書きと重ね書きをした後のＢＬＥＲのパワーマージンの測定結果を示す変化特性図である。
【図９】末尾パルスのパルス幅を変えて試し書きと重ね書きをした後におけるＢＬＥＲのパワーマージンの測定結果を示す変化特性図である。
【図１０】記録パワーと消去パワーの比を変えて試し書きと重ね書きをした後におけるＢＬＥＲのパワーマージンの測定結果を示す変化特性図である。
【図１１】中間パルスのパルス幅を変えたときの再生信号における変調度のパワーマージンの測定結果を示す変化特性図である。
【図１２】中間パルスのパルス幅とボトムパワーを変化したときの最大記録マークと最小記録マークの振幅中心の差のパワーマージンの測定結果を示す変化特性図である。
【図１３】この発明の他の構成を示すブロック図である。
【符号の説明】
１；記録再生装置、２；光ディスク、３；駆動部、４；ヘッド、
５；回転制御部、６；アクセス手段、７；ＬＤドライバ、
８；記録パワー設定部、９；パルス設定手段、１０；パワー設定手段、
１１；再生信号評価手段、１２；コントローラ、
１３；パラメータ記憶手段、２０；コンピュータ、２１；記憶媒体。
【図１】
2005038473.tif 000007
【図２】
2005038473.tif 000008
【図３】
2005038473.tif 000009
【図４】
2005038473.tif 000010
【図５】
2005038473.tif 000011
【図６】
2005038473.tif 000012
【図７】
2005038473.tif 000013
【図８】
2005038473.tif 000014
【図９】
2005038473.tif 000015
【図１０】
2005038473.tif 000016
【図１１】
2005038473.tif 000017
【図１２】
2005038473.tif 000018
【図１３】
2005038473.tif 000019